【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
それぞれが帯形状を有する複数の駆動電極と、
前記複数の駆動電極にタッチ検出用の駆動信号が選択的に印加されるように制御を行う駆動制御回路と、
前記複数の駆動電極と交差するように配置され、その交差部分に静電容量が形成されると共に、前記駆動信号に同期した検出信号をそれぞれ出力する複数のタッチ検出電極と、
前記検出信号に基づいて、外部近接物体を検出する検出回路と
を備え、
前記駆動制御回路は、前記検出信号が、前記外部近接物体に起因する正負非対称の信号成分を含む極性交番信号となるように、前記駆動信号の印加制御を行う
静電容量型タッチパネル。
【請求項２】
前記駆動信号が、第１の電圧の区間と、前記第１の電圧の区間とは異なる第２の電圧の区間とを含む周期的波形の信号であり、
前記駆動制御回路は、前記複数の駆動電極から第１および第２のグループの駆動電極を選択すると共に、その選択に際して、前記複数の駆動電極の配設領域における任意の位置において第１のグループの駆動電極のうち前記外部近接物体の大きさに相当する基準幅の中に入る駆動電極の合計幅が第２のグループの駆動電極のうち前記基準幅の中に入る駆動電極の合計幅とは異なるようにし、選択した第１および第２のグループの駆動電極に、それぞれ、前記駆動信号の前記第１および第２の電圧を印加する
請求項１に記載の静電容量型タッチパネル。
【請求項３】
前記駆動制御回路は、前記第１のグループの駆動電極が、時分割的に走査移動する一の帯状領域を構成するように、前記第１のグループの駆動電極を選択する
請求項２に記載の静電容量型タッチパネル。
【請求項４】
前記駆動制御回路は、前記第２のグループの駆動電極が、離散的に位置する複数のサブグループへと分割されるように、前記第２のグループの駆動電極を選択する
請求項２または請求項３に記載の静電容量型タッチパネル。
【請求項５】
前記駆動制御回路は、前記第１のグループのすべての駆動電極の合計幅が前記第２のグループのすべての駆動電極の合計幅と等しくなるように、前記第１のグループおよび前記第２のグループの駆動電極を選択する
請求項２から請求項４のいずれか一項に記載の静電容量型タッチパネル。
【請求項６】
前記駆動信号が、第１の電圧の区間と、前記第１の電圧の区間とは異なる第２の電圧の区間とを含む周期的波形の信号であり、
前記駆動制御回路は、前記複数の駆動電極から、帯状領域を構成する一群の駆動電極を選択し、前記駆動信号の前記第１の電圧が前記一群の駆動電極に印加されると共に前記第２の電圧がいずれの駆動電極にも印加されないように、前記駆動信号の印加制御を行う
請求項１に記載の静電容量型タッチパネル。
【請求項７】
前記検出回路は、前記検出信号に対して、所定周波数以上の帯域をカットする高域カット処理を行うアナログフィルタを有する
請求項１から請求項６のいずれか一項に記載の静電容量型タッチパネル。
【請求項８】
それぞれが帯形状を有する複数の駆動電極と、
前記複数の駆動電極にタッチ検出用の駆動信号が選択的に印加されるように制御を行う駆動制御回路と、
前記複数の駆動電極と交差するように配置され、その交差部分に静電容量が形成されると共に、前記駆動信号に同期した検出信号をそれぞれ出力する複数のタッチ検出電極と、
前記検出信号に基づいて、外部近接物体を検出する検出回路と、
画像信号に基づいて画像を表示する表示部と
を備え、
前記駆動制御回路は、前記検出信号が、前記外部近接物体に起因する正負非対称の信号成分を含む極性交番信号となるように、前記駆動信号の印加制御を行う
タッチ検出機能付き表示装置。
【請求項９】
前記表示部は液晶素子を用いて構成され、
前記タッチ検出用の駆動信号は、前記表示部を駆動する表示駆動信号の一部を兼ねている
請求項８に記載のタッチ検出機能付き表示装置。
【請求項１０】
前記表示駆動信号は、前記画像信号に基づく画素信号と共通駆動信号とを含み、
前記表示部は、前記画素信号と前記共通駆動信号とにより定まる前記液晶素子への印加電圧の極性を時分割的に反転させる極性反転駆動により表示が行われるものであり、
前記タッチ検出用の駆動信号が前記共通駆動信号を兼ねている
請求項９に記載のタッチ検出機能付き表示装置。
【請求項１１】
前記表示部の駆動に伴って前記検出信号に生ずる正負非対称性の変化を前記画像信号に基づいて補償する
請求項８から請求項１０のいずれか一項に記載のタッチ検出機能付き表示装置。
【請求項１２】
前記駆動信号が、第１の電圧の区間と、前記第１の電圧の区間とは異なる第２の電圧の区間とを含む周期的波形の信号であり、
前記駆動制御回路は、前記複数の駆動電極から、帯状領域を構成する一群の駆動電極を選択し、前記駆動信号の前記第１の電圧が前記一群の駆動電極に印加されると共に前記第２の電圧がいずれの駆動電極にも印加されないように、前記駆動信号の印加制御を行う
請求項８から請求項１１のいずれか一項に記載のタッチ検出機能付き表示装置。
【請求項１３】
前記検出回路は、前記表示部の駆動に伴って前記検出信号に生ずる正負非対称の表示ノイズ成分を前記画像信号に基づいて除去することにより、表示ノイズによる変化を補償する
請求項８から請求項１２のいずれか一項に記載のタッチ検出機能付き表示装置。
【請求項１４】
それぞれが帯形状を有する複数の駆動電極にタッチ検出用の駆動信号を選択的に印加し、外部近接物体が存在するときに、前記複数の駆動電極と交差するように配置されてその交差部分に静電容量が形成される複数のタッチ検出電極の各々から、前記外部近接物体に起因する正負非対称の信号成分を含む極性交番信号としての検出信号を前記駆動信号に同期して出力させ、
前記検出信号に基づいて、前記外部近接物体を検出する
タッチパネルの駆動方法。
【手続補正２】
【補正対象書類名】明細書
【補正対象項目名】０００９
【補正方法】変更
【補正の内容】
【０００９】
本発明の静電容量型タッチパネルは、駆動制御回路と、複数の駆動電極と、複数のタッチ検出電極と、検出回路とを備えている。ここで、駆動制御回路は、タッチ検出用の駆動信号を複数の駆動電極に選択的に印加するように制御を行う。複数の駆動電極は、それぞれが帯形状を有しており、駆動信号が選択的に印加される。複数のタッチ検出電極は、複数の駆動電極と交差するように配置され、その交差部分に静電容量が形成されており、駆動信号に同期した検出信号がそれぞれから出力される。検出回路は、検出信号に基づいて、外部近接物体を検出する。特に、上記駆動制御回路は、上記検出信号が、外部近接物体に起因する正負非対称の信号成分を含む極性交番信号になるように、駆動信号の印加制御を行う。
【手続補正３】
【補正対象書類名】明細書
【補正対象項目名】００１１
【補正方法】変更
【補正の内容】
【００１１】
本発明のタッチパネルの駆動方法は、それぞれが帯形状を有する複数の駆動電極にタッチ検出用の駆動信号を選択的に印加し、外部近接物体が存在するときに、上記の複数の駆動電極と交差するように配置されてその交差部分に静電容量が形成される複数のタッチ検出電極の各々から、外部近接物体に起因する正負非対称の信号成分を含む極性交番信号としての検出信号を駆動信号に同期して出力させ、この検出信号に基づいて外部近接物体を検出するようにしたものである。
【手続補正４】
【補正対象書類名】明細書
【補正対象項目名】００１４
【補正方法】変更
【補正の内容】
【００１４】
その第１の方法は、駆動信号として、第１の電圧の区間と、第１の電圧の区間とは異なる第２の電圧の区間とを含む周期的波形の信号を用い、複数の駆動電極から第１および第２のグループの駆動電極を選択し、選択した第１のグループの駆動電極と第２のグループの駆動電極とに対してそれぞれ駆動信号の第１の電圧と第２の電圧とを印加するという方法である。駆動電極の選択に際しては、複数の駆動電極の配設領域における任意の位置において第１のグループの駆動電極のうち外部近接物体の大きさに相当する基準幅の中に入る駆動電極の合計幅が、第２のグループの駆動電極のうち基準幅の中に入る駆動電極の合計幅とは異なるようにする。これにより、駆動信号の第１の電圧の印加期間と第２の電圧の印加期間とでは、駆動電極とタッチ検出電極との間の静電容量の大きさが異なることになり、結果として、極性が交番する検出信号中のタッチ成分が正負非対称になる。
【手続補正５】
【補正対象書類名】明細書
【補正対象項目名】００１６
【補正方法】変更
【補正の内容】
【００１６】
第２の方法は、駆動信号として、第１の電圧の区間と、第１の電圧の区間とは異なる第２の電圧の区間とを含む周期的波形の信号を用い、複数の駆動電極から、帯状領域を構成する一群の駆動電極を選択し、駆動信号の第１の電圧を一群の駆動電極に印加する一方、第２の電圧についてはいずれの駆動電極にも印加しないようにするという方法である。この方法では、駆動信号の第１の電圧の印加期間においてのみ検出信号中にタッチ成分が現れ、第２の電圧の印加期間には現れない。結果として、極性が交番する検出信号中のタッチ成分は正負非対称になる。
【手続補正６】
【補正対象書類名】明細書
【補正対象項目名】００４５
【補正方法】変更
【補正の内容】
【００４５】
ソースドライバ４６は、画像信号を液晶表示デバイス４４２に供給する。また、ゲートドライバ４５は、表示する水平画素ラインを選択するための選択信号（ゲート信号）を液晶表示デバイス４４２に供給する。液晶表示デバイス４４２は、これらの信号と駆動信号とを基に水平画素ラインごとに線順次に全画面にわたって走査を行うことにより、画面に画像を表示する。より詳細には、図６において、ソース線２５を介して供給された画素信号が、ゲート線２６によって線順次に選択された表示画素２０のＴＦＴ素子Ｔｒを介して液晶素子ＬＣの画素電極２２に印加されると共に、極性が交番する駆動信号Ｖｃｏｍ（図９（Ａ））が共通電極（駆動電極３３）に印加される。これにより、液晶素子ＬＣに画素データが書き込まれ、画像表示が行われる。
【手続補正７】
【補正対象書類名】明細書
【補正対象項目名】００８０
【補正方法】変更
【補正の内容】
【００８０】
検出回路１４８は、マルチプレクサ４７で切り替えられた検出信号Ｖdetを基に、タッチセンサ４４１へのタッチの有無を検出し、さらに、タッチパネル上におけるその座標などを求める回路である。この検出回路１４８は、アナログＬＰＦ（Ｌｏｗ  Ｐａｓｓ  Ｆｉｌｔｅｒ）５１と、Ａ／Ｄ変換部５２と、信号処理部１５３と、座標抽出部５４とを有している。信号処理部１５３は、Ａ／Ｄ変換部５２の出力信号と、外部から入力された画像信号Ｓigを基に、タッチセンサ４４１へのタッチの有無を検出する論理回路である。